(57)【特許請求の範囲】
【請求項１】
ドライヤにより加熱乾燥した骨材を粒度別に篩い分ける振動篩と、該振動篩によって篩い分けた骨材を区画室に粒度別に貯蔵する骨材貯蔵ビンと、該骨材貯蔵ビンの下位に骨材計量槽及びミキサとを配置したアスファルトプラントにおいて、前記骨材貯蔵ビンの区画室の外壁に沿わせて外部区画室を配設すると共に、該外部区画室の下部には前記ミキサへと骨材を払い出す骨材払出しゲートを配設する一方、前記区画室の壁面には前記区画室から外部区画室に骨材の流入を許容する骨材流入口を穿設し、該骨材流入口には開口部を開閉制御する開閉蓋を配設し、特定の区画室と外部区画室とを組み合わせることで特定の区画室の容量を増加できる構成とし、特定粒度の骨材を使用する特殊アスファルト混合物を製造するときには、その粒度の骨材を貯蔵する区画室の開閉蓋を開放し、外部区画室をその粒度の骨材の貯蔵用に用いて貯蔵容量を増加させるようにしたことを特徴とするアスファルトプラント。
【発明の詳細な説明】
【０００１】
【発明の属する技術分野】
本発明は道路舗装材であるアスファルト混合物を製造するアスファルトプラントに関し、特に排水性アスファルト混合物等の特殊アスファルト混合物の製造をも行うアスファルトプラントに関する。
【０００２】
【従来の技術】
アスファルトプラントにて製造されるアスファルト混合物はその使用用途に応じて特殊なものが製造される場合が増えており、例えば高速道路等で舗装道路の表面に雨水等の水が溜らないようにするために、舗装道路に水が染み込んで行くと同時に染み込んだ水を下方の路床から排水させるようにする排水性アスファルト混合物も製造されるようになっている。
【０００３】
前記排水性アスファルト混合物に使用される骨材としては、５〜１３ｍｍ粒径の骨材（８０〜８５重量％）と砂（１５〜２０重量％）との二種類の骨材を専ら使用する。そして排水性アスファルト混合物を製造する時には、貯蔵ホッパに貯蔵された６号砕石（５〜１３ｍｍ粒径相当の骨材）及び砂を所定量づつ同時に払い出してドライヤに供給し、ドライヤにて加熱した骨材をプラント本体部の振動篩に供給し、粒径別に篩い分けて骨材貯蔵ビンに貯蔵している。
【０００４】
【発明が解決しようとする課題】
しかしながら、前記骨材貯蔵ビンはビン内を区画して通常、２．５ｍｍ以下の砂、２．５〜５ｍｍ、５〜１３ｍｍ、１３ｍｍ〜２０ｍｍ、２０ｍｍ以上の骨材を粒径別に貯蔵するように５室に区画されており、前記のように排水性アスファルト混合物を製造する時には、使用する骨材としては６号砕石と砂の二種類のみであるため、骨材貯蔵ビンの２．５ｍｍ以下の区画室と５〜１３ｍｍの区画室を使用してアスファルト混合物を製造出荷することになる。その場合、５〜１３ｍｍの区画室の貯蔵容量が２．５ｍｍ以下の区画室に比べて小さいため、５〜１３ｍｍの骨材の払い出しが間に合わなくなって計量待ちとなったり、また供給過剰となってオーバーフローを起こす等の欠点がある。
【０００５】
本発明は上記の点に鑑み、特定の種類の骨材のみを使用して特殊混合物を製造する時に特定の骨材の貯蔵量を増やせる骨材貯蔵ビン構造とし、特殊混合物の製造にも適したアスファルトプラントを提供することを目的とする。
【０００６】
【課題を解決するための手段】
本考案は上記の目的を達成するために、ドライヤにより加熱乾燥した骨材を粒度別に篩い分ける振動篩と、該振動篩によって篩い分けた骨材を区画室に粒度別に貯蔵する骨材貯蔵ビンと、該骨材貯蔵ビンの下位に骨材計量槽及びミキサとを配置したアスファルトプラントにおいて、前記骨材貯蔵ビンの区画室の外壁に沿わせて外部区画室を配設すると共に、該外部区画室の下部には前記ミキサへと骨材を払い出す骨材払出しゲートを配設する一方、前記区画室の壁面には前記区画室から外部区画室に骨材の流入を許容する骨材流入口を穿設し、該骨材流入口には開口部を開閉制御する開閉蓋を配設し、特定の区画室と外部区画室とを組み合わせることで特定の区画室の容量を増加できる構成とし、特定粒度の骨材を使用する特殊アスファルト混合物を製造するときには、その粒度の骨材を貯蔵する区画室の開閉蓋を開放し、外部区画室をその粒度の骨材の貯蔵用に用いて貯蔵容量を増加させるようにしたことを特徴としている。
【０００７】
【発明の実施の形態】
本発明によれば、排水性アスファルト混合物等の特定の種類の骨材を使用するアスファルト混合物を製造する時には、特定の区画室と外部区画室との間の壁面に配設した骨材流入用の開閉蓋を開放して特定の区画室に投入された骨材を外部区画室に骨材流入口を通過させて流入させる。こうして特定種類の骨材を外部区画室にも貯蔵するようにして貯蔵量を増加させて骨材切れやオーバフローを防止し、特殊なアスファルト混合物についても安定した出荷が図れるようにする。
【０００８】
【実施例】
以下、本発明の実施例を図面に基づいて説明する。
【０００９】
１はアスファルトプラントの混合タワーであって、その最上部には振動篩２が搭載してある。該振動篩２にはドライヤ（図示せず）により加熱乾燥した加熱骨材を投入シュート３から投入し、起振体４の発生する振動によって骨材を粒度別に篩い分けている。
【００１０】
振動篩２の内部は数段の篩網が配設してあり、例えば、最上段の投入シュート３に臨ませた位置には、網目サイズ２５ｍｍの角孔（または丸孔）の篩網５ａ、その下段には網目サイズ１５ｍｍの篩網５ｂ、その下段には網目サイズ６ｍｍの篩網５ｃ、最下段には網目サイズ３ｍｍの篩網５ｄを配置している。
【００１１】
振動篩２の下位には骨材貯蔵ビン６が配設してあり、該骨材貯蔵ビン６はビン内を適宜仕切って区画室６ａ、６ｂ、６ｃ、６ｄ、６ｅを形成し、振動篩２によって篩い分けられた２．５ｍｍ以下の砂、及び２．５〜５ｍｍ、５〜１３ｍｍ、１３〜２０ｍｍ、２０ｍｍ以上の骨材をそれぞれの区画室に貯蔵するようにしている。そして区画室６ａ、６ｂ、６ｃ、６ｄ、６ｅに貯蔵する骨材は下部に配設した骨材払出しゲート７ａ、７ｂ、７ｃ、７ｄ、７ｅより払い出すようにしている。
【００１２】
前記区画室６ｂから区画室６ｄに亘っては、その外壁に沿って外部区画室８を配設しており、その下部には骨材払出しゲート９を配設して貯蔵する骨材を払い出すようにしている。そして区画室６ｂ、６ｃ、６ｄの外部区画室８を配設した側の壁面には、図３に示すように、各区画室６ｂ、６ｃ、６ｄに貯蔵する骨材を外部区画室８に流入させる骨材流入口１０ｂ、１０ｃ、１０ｄをそれぞれ穿設し、更にこれらの骨材流入口１０ｂ、１０ｃ、１０ｄにはこの開口部を開閉するための開閉蓋１１ｂ、１１ｃ、１１ｄを外部区画室８側から取り付け、シリンダ１２ｂ、１２ｃ、１２ｄを伸縮させることにより、前記開閉蓋１１ｂ、１１ｃ、１１ｄをそれぞれ開閉するようにし、特定の区画室と外部区画室とを組み合わせることで特定の区画室の容量を増加させるようにしている。
【００１３】
また、図４は２つの外部区画室を配設した他の実施例を示すもので、区画室６ａから区画室６ｂに亘る部分と区画室６ｃから区画室６ｄに亘る部分にそれぞれその外壁に沿って外部区画室１３、１４をそれぞれ配設している。この外部区画室１３、１４に対して区画室６ａ、６ｂ、６ｃ、６ｄの壁面には前記と同様に骨材流入口１０ａ、１０ｂ、１０ｃ、１０ｄをそれぞれ穿設し、これらの骨材流入口１０ａ、１０ｂ、１０ｃ、１０ｄにはこの開口部を開閉するための開閉蓋１１ａ、１１ｂ、１１ｃ、１１ｄを外部区画室１３、１４側から取り付け、シリンダ１２ａ、１２ｂ、１２ｃ、１２ｄを伸縮させることにより前記開閉蓋１１ａ、１１ｂ、１１ｃ、１１ｄをそれぞれ開閉するようにしている。そして、外部区画室１３、１４の下部には骨材を払い出す骨材払出しゲート１５、１６を配設している。
【００１４】
１７は各区画室の下位に配設した骨材計量槽であって、各区画室より払い出される骨材を順次累積計量するようにしており、骨材計量槽１７により所望の骨材をそれぞれ計量してそれらを下位のミキサー１８に投入すると共に、別に計量した石粉、アスファルト等を添加して混合調整し、所望のアスファルト合材を製造するようにしている。
【００１５】
しかして、外部区画室を使用して特定の区画室の容量を増加させる場合、所望の区画室に取り付けた開閉蓋を開放して骨材流入口を外部区画室８に開口させ、所望の区画室に貯蔵する骨材を骨材流入口を介して外部区画室８に流入させて所望の骨材の貯蔵量を増加させるのである。
【００１６】
例えば、区画室の内、区画室６ａ、６ｂ、６ｃ、６ｄ及び外部区画室８を使用してアスファルト混合物を製造する場合に、各区画室の容量比率を下記のように設定すると、
0003671076.tif 000002
外部区画室８を区画室６ｂから区画室６ｄについて組み合わせることで、特定の区画室の容量を増加させることができ、
0003671076.tif 000003
の３通りの区画室の容量比率を得ることができ、標準的なアスファルト混合物を製造する場合は勿論のこと、排水性アスファルト混合物のように二種類の骨材のみを使用するような特殊アスファルト混合物を製造する場合にでもその配合に適した区画室の容量比率を設定することができる。
【００１７】
また、図４に示すように外部区画室を２つ配設した場合にあっては、例えば各区画室の容量比率を下記のように設定し、
0003671076.tif 000004
外部区画室１３を区画室６ａと区画室６ｂとに組み合わせ、外部区画室１４を区画室６ｃと区画室６ｄとに組み合わせることで特定の区画室の容量を増加させることができ、
0003671076.tif 000005
の４通りの区画室の容量比率を得ることができる。
【００１８】
なお、本実施例で示した外部区画室の配置例は、外部区画室の配置や数を制約するものではなく、この他にも外部区画室の配置例は種々考えられ、本願発明の要旨を逸脱しない範囲でその配置や数に変更を加え得ることは勿論である。
【００１９】
【発明の効果】
以上のように本発明に係るアスファルトプラントにあっては、骨材貯蔵ビンの区画室の外壁に沿って外部区画室を配設し、各区画室の壁面に各区画室より外部区画室に骨材の流入を許容する骨材流入口を穿設し、該骨材流入口に配設した開閉蓋を開放することによって特定の区画室と外部区画室とに同一種類の骨材を貯蔵することができるので、特殊混合物製造時に必要とする特定の骨材の貯蔵量を増やすことができて効率良く特殊混合物を製造することが可能となる。
【図面の簡単な説明】
【図１】本発明のアスファルトプラントの一実施例の一部切り欠き概略正面図である。
【図２】図１の一部切り欠き概略側面図である。
【図３】図２の要部を拡大した縦断断面図である。
【図４】別の実施例を示す図１に相当する概略正面図である。
【符号の説明】
２…振動篩                              ６…骨材貯蔵ビン
６ａ、６ｂ、６ｃ、６ｄ、６ｅ…区画室    ７…外部区画室
１０ａ、１０ｂ、１０ｃ、１０ｄ…骨材流入口
１１ａ、１１ｂ、１１ｃ、１１ｄ…開閉蓋
１３、１４…外部区画室
【図１】
0003671076.tif 000006
【図２】
0003671076.tif 000007
【図３】
0003671076.tif 000008
【図４】
0003671076.tif 000009